(57)【要約】【課題】  高酸素濃度の空気を浴室内全体に行き渡らせることができるとともに、空気供給ノズルの取付け作業性が向上する浴室の空気供給ノズルの取付け構造を提供する。【解決手段】  酸素富化装置５で発生した高酸素濃度の空気を浴室１内に供給する空気供給ノズル１０（Ａ，Ｂ）を、浴室１の天井パネル４または天井パネルに近い側壁パネルの上部に開けた取付け穴４ａに差し込んで取付けることにより、高酸素濃度の空気が天井側から浴室１内に供給されるので、浴室１内全体に行き渡りやすくなるとともに、空気供給ノズル１０（Ａ，Ｂ）を天井パネル４の取付け穴４ａに差し込むだけでワンタッチで取付けることができる。【選択図】  図１
2006167371.tif 000002
【特許請求の範囲】
【請求項１】
酸素富化装置で発生した高酸素濃度の空気を浴室内に供給する空気供給ノズルを、浴室の天井パネルまたは天井パネルに近い側壁パネルの上部に開けた取付け穴に差し込んで取付けていることを特徴とする浴室の空気供給ノズルの取付け構造。
【請求項２】
前記空気供給ノズルは、前記パネルの取付け穴に浴室内から差し込んで係止固定される取付け部材と、この取付け部材の内周部に浴室内から差し込んで係止固定されるノズル本体とで構成したことを特徴とする請求項１記載の浴室の空気供給ノズルの取付け構造。
【請求項３】
前記空気供給ノズルは、前記パネルの取付け穴に浴室内から差し込んだときに、パネルの内面で当て止められるノズル本体と、浴室外からノズル本体の外周部に側方から差し込んだときに、パネルの外面で当て止められる板ばね部材とで構成したことを特徴とする請求項１記載の浴室の空気供給ノズルの取付け構造。
【請求項４】
前記空気供給ノズルの吹き出し側に邪魔板部材を配置したことを特徴とする請求項１〜３のいずれか一項に記載の浴室の空気供給ノズルの取付け構造。
【請求項５】
前記酸素富化装置で発生した高酸素濃度の空気を分岐して、浴槽側に設置した微細気泡発生装置の微細気泡発生ノズルまたはジェットバス装置のジェットノズルにより、浴槽内に供給することを特徴とする請求項１〜４のいずれか一項に記載の浴室の空気供給ノズルの取付け構造。
【発明の詳細な説明】
【技術分野】
【０００１】
本発明は、浴室の空気供給ノズルの取付け構造に関する。
【背景技術】
【０００２】
従来、酸素富化装置で発生した高酸素濃度の空気を浴室内に供給するようにしたものがある（特許文献１参照）。
【０００３】
これは、浴室内に蒸気や熱気がこもり、呼吸が息苦しく感じられることから、酸素富化装置で発生した高酸素濃度の空気を浴室内に供給して、呼吸の息苦しさを無くすことで快適に入浴できるようにしたものである。
【特許文献１】実公平７−５１５６３号公報
【発明の開示】
【発明が解決しようとする課題】
【０００４】
しかしながら、前記高酸素濃度の空気を浴室内に供給するための空気供給ノズルは、浴室の側壁パネルの高さ方向の中間部に設けたり、浴槽のエプロン内に設けたりしたものであったから、高酸素濃度の空気を浴室内全体に行き渡らせにくいという問題があった。また、浴室の側壁パネル等に空気供給ノズルをねじ等で取付けるものであったから、作業性が悪いという問題もあった。
【０００５】
本発明は、前記問題を解消するためになされたもので、高酸素濃度の空気を浴室内全体に行き渡らせることができるとともに、空気供給ノズルの取付け作業性が向上する浴室の空気供給ノズルの取付け構造を提供することを課題とするものである。
【課題を解決するための手段】
【０００６】
前記課題を解決するために、本発明は、酸素富化装置で発生した高酸素濃度の空気を浴室内に供給する空気供給ノズルを、浴室の天井パネルまたは天井パネルに近い側壁パネルの上部に開けた取付け穴に差し込んで取付けていることを特徴とする浴室の空気供給ノズルの取付け構造を提供するものである。
【０００７】
前記空気供給ノズルを浴室内からの作業だけでワンタッチで取付けるために、前記空気供給ノズルは、前記パネルの取付け穴に浴室内から差し込んで係止固定される取付け部材と、この取付け部材の内周部に浴室内から差し込んで係止固定されるノズル本体とで構成することができる。
【０００８】
前記空気供給ノズルを簡単な部品だけで取付けるために、前記空気供給ノズルは、前記パネルの取付け穴に浴室内から差し込んだときに、パネルの内面で当て止められるノズル本体と、浴室外からノズル本体の外周部に側方から差し込んだときに、パネルの外面で当て止められる板ばね部材とで構成することができる。
【０００９】
結露水を浴室内に滴下させないために、前記空気供給ノズルの吹き出し側に邪魔板部材を配置した構成とすることができる。
【００１０】
高酸素濃度の空気を、より浴室内全体に行き渡りやすくするために、前記酸素富化装置で発生した高酸素濃度の空気を分岐して、浴槽側に設置した微細気泡発生装置の微細気泡発生ノズルまたはジェットバス装置のジェットノズルにより、浴槽内に供給する構成とすることができる。
【発明の効果】
【００１１】
本発明によれば、高酸素濃度の空気を浴室内に供給する空気供給ノズルを、浴室の天井パネルまたは天井パネルに近い側壁パネルの上部の取付け穴に差し込んで取付けるようにしたから、高酸素濃度の空気が天井側から浴室内に供給されるので、浴室内全体に行き渡りやすくなる。また、空気供給ノズルはパネルの取付け穴に差し込むだけでワンタッチで取付けることができるので、取付け作業性が向上する。
【発明を実施するための最良の形態】
【００１２】
以下、本発明を実施するための最良の形態について、図面を参照しながら詳細に説明する。
【００１３】
図１に示すように、浴室１の下部の一側には浴槽２が設置され、他側を洗い場３としている。浴室１の四周囲は側壁パネル（具体的に図示せず。）で取り囲まれ、その上部に天井パネル４が取付けられている。前記側壁パネルの一部に出入り用扉が設けられている。
【００１４】
前記天井パネル４の外上部には酸素富化装置５が設置されている。この酸素富化装置５は、具体的に図示しないが、酸素富化膜と真空ポンプとで構成され、真空ポンプで大気中の空気を取入れて有機高分子の平膜からなる酸素富化膜に空気を通すときに、酸素と窒素は減速するが、酸素は窒素の２．５倍の速度で通過する。これにより、通常の空気は窒素が７８％、酸素が２１％であったのが、酸素富化膜によって、窒素が６９％、酸素が３０％の空気となり、酸素が富化された高酸素濃度の空気を得ることができる。
【００１５】
前記酸素富化装置５の高酸素濃度の空気の吐出口５ａには、３本の接続管６〜８が接続されている。なお、前記吐出口５ａに１本の接続管を接続して、これから３本の接続管６〜８に分岐する等しても良く、要するに、接続管６〜８に高酸素濃度の空気をそれぞれ供給できれば良い。
【００１６】
前記接続管６は、浴室１の天井パネル４に開けた取付け穴４ａに差し込んで取付けた空気供給ノズル１０（Ａ，Ｂ）の入口側に差し込んで接続している。この空気供給ノズル１０（Ａ，Ｂ）の吹き出し側は、浴室１内の浴槽２の上方に臨むようになる。なお、空気供給ノズル１０（Ａ，Ｂ）は、図１に符号１０´で示すように、天井パネル４に近い側壁パネルの上部に開けた取付け穴に差し込んで取付けるようにしても良い。
【００１７】
このように、高酸素濃度の空気を浴室１内に供給する空気供給ノズル１０（Ａ，Ｂ）を、浴室１の天井パネル４（または天井パネル４に近い側壁パネルの上部）の取付け穴４ａに差し込んで取付けることにより、高酸素濃度の空気が天井側から浴室１内に供給されるので、浴室１内全体に行き渡りやすくなる。
【００１８】
また、空気供給ノズル１０（Ａ，Ｂ）は、天井パネル４の取付け穴４ａに差し込むだけでワンタッチで取付けることができるので、取付け作業性が向上する。
【００１９】
図２および図３は、前記空気供給ノズル１０（Ａ，Ｂ）の内、具体的な第１実施形態の構造である。第１実施形態の空気供給ノズル１０（Ａ）は、取付け部材１１とノズル本体１２とで構成されている。
【００２０】
前記取付け部材１１は、円筒状の胴部１１ａの下端に、下端フランジ部１１ｂを有するとともに、胴部１１ａの上端を係止部１１ｃとしている。前記胴部１１ａは、上端から下端フランジ部１１ｂまでの間を、軸方向の切り込みで円周方向に例えば四つ割りされて、円弧状の各割り片１１ｅが内外方に撓むことで拡縮径可能に形成されている。この各割り片１１ｅの下端フランジ部１１ｂ側の外周部には、上下方向の食い込み凸条１１ｆがそれぞれ形成されている。
【００２１】
前記天井パネル４の取付け穴４ａは、前記取付け部材１１の胴部１１ａが嵌合する内径に形成されて、図２（ｂ）のように、天井パネル４の取付け穴４ａに浴室１内から取付け部材１１の胴部１１ａの外周部を差し込んで行くと、食い込み凸条１１ｆが取付け穴４ａの内周部で押されて各割り片１１ｅが僅かに内方へ撓んで縮径しながら差し込まれて行き、下端フランジ部１１ｂが天井パネル４の内面（下面）に当て止められるようになる。こうして取付け部材１１の差し込みが完了すると、各割り片１１ｅの拡径（外）方向の撓み力で食い込み凸条１１ｆが取付け穴４ａの内周部に強く接触するので、取付け部材１１は取付け穴４ａから抜け落ちないように自己保持されることになる。
【００２２】
前記ノズル本体１２は、円筒状の胴部１２ａの下端に、下端フランジ部１２ｂを有するとともに、胴部１２ａの上端外周部に、胴部１２ａよりも僅かに大径の係止凸部１２ｃが形成されている。また、胴部１２ａの外周部には、内周部の空気通路穴１２ｄに対応させた段部１２ｅやコーン部１２ｆを形成している。
【００２３】
そして、図２（ｂ）のように、天井パネル４の取付け穴４ａに自己保持された取付け部材１１の胴部１１ａの内周部に浴室１内からノズル本体１２の胴部１２ａの外周部を差し込んで行くと、先ず、係止凸部１２ｃが取付け部材１１の胴部１１ａの内周部に無理嵌めされ、ついで、係止凸部１２ｃで各割り片１１ｅを押して拡径（外）方向に撓ませながら差し込まれて行き、図３（ｂ）（ｃ）のように、下端フランジ部１２ｂが取付け部材１１の下端フランジ部１１ｂのリング部１１ｇの下面に当て止められるようになる。同時にノズル本体１２の係止凸部１２ｃが取付け部材１１の胴部１１ａの内周部の上端から抜け外れて、各割り片１１ｅの縮径（内）方向の撓み力により係止部１１ｃで係止されるようになる。
【００２４】
これにより、ノズル本体１２は取付け部材１１で係止されて、取付け部材１１の胴部１１ａの内周部から抜け落ちないように係止固定されることになる。
【００２５】
このとき、ノズル本体１２の胴部１２ａで各割り片１１ｅが縮径（内）方向に撓まない状態に保持されるため〔図３（ｃ）の矢印ａ参照〕、図３（ａ）のように、食い込み凸条１１ｆが取付け穴４ａの内周部に食い込んで、取付け部材１１は取付け穴４ａから抜け落ちないように係止固定されることになる。
【００２６】
第１実施形態の空気供給ノズル１０（Ａ）では、取付け部材１１の胴部１１ａの外周部を浴室１内から天井パネル４の取付け穴４ａに差し込み、この取付け部材１１の内周部に浴室１内からノズル本体１２の胴部１２ａの外周部を差し込んだときに、取付け部材１１の各割り片１１ｅを拡径させて、取付け部材１１を天井パネル４の取付け穴４ａに係止固定するとともに、取付け部材１１の係止部１１ｃでノズル本体１２の係止凸部１２ｃを係止固定することができるから、浴室１内からの作業だけで、空気供給ノズル１０を天井パネル４の取付け穴４ａにワンタッチで取付けることができるので、取付け作業性が向上する。
【００２７】
図４は、前記空気供給ノズル１０（Ａ，Ｂ）の内、具体的な第２実施形態の構造である。第２実施形態の空気供給ノズル１０（Ｂ）は、板ばね部材１３とノズル本体１２とで構成されている。なお、ノズル本体１２は、第１実施形態の空気供給ノズル１０（Ａ）と同一構成であるから、詳細な説明は省略する。
【００２８】
前記天井パネル４の取付け穴４ａは、前記ノズル本体１２の胴部１２ａの下端フランジ部１２ｂ側の外周部が嵌合する内径に設定されている。
【００２９】
前記板ばね部材１３には、前記ノズル本体１２の最下段の段部１２ｅとコーン部１２ｆとの間の外周部に側方から差し込み可能なフォーク（二股）部１３ａが形成されるとともに、このフォーク部１３ａには、最下段の段部１２ｅとその上の段部１２ｅとの間の係止下面１２ｇに当接可能な上向きの隆起部１３ｂが形成されている。
【００３０】
第２実施形態の空気供給ノズル１０（Ｂ）では、ノズル本体１２の胴部１２ａを浴室１内から天井パネル４の取付け穴４ａに差し込んで、下端フランジ部１２ｂを天井パネル４の内面に当て止めた状態で、浴室１外の天井パネル４の上方からノズル本体１２の最下段の段部１２ｅとコーン部１２ｆとの間の外周部に側方から板ばね部材１３のフォーク部１３ａを差し込み、板ばね部材１３を天井パネル４の外面で当て止めて、隆起部１３ｂで係止下面１２ｇを上方に付勢することにより、下端フランジ部１２ｂと板ばね部材１３とでノズル本体１２を天井パネル４に挟み込み固定することができるから、空気供給ノズル１０（Ｂ）を天井パネル４にワンタッチで取付けることができるので、取付け作業性が向上する。また、空気供給ノズル１０（Ｂ）のノズル本体１２を簡単な部品である板ばね部材１３だけで天井パネル４に取付けることができる。
【００３１】
図５（ａ）（ｂ）に示すように、前記ノズル本体１２の下端フランジ部１２ｂよりも大径で、下向きに窪ませた皿状の邪魔板部材１４を設けて、この邪魔板部材１４の内面中央部に、上向きの半球凸状部１４ａを形成するとともに、この半球凸状部１４ａの外周囲に円周状等角度間隔（本例では４５度間隔）で複数の空気出口穴１４ｂを形成する。また、この空気出口穴１４ｂの外周囲に、円周状等角度間隔（例えば１８０度間隔で少なくとも２本、好ましくは１２０度間隔で３本、若しくはそれ以上）で複数のフック爪１４ｃを形成する。
【００３２】
そして、第１実施形態の空気供給ノズル１０（Ａ）において、取付け部材１１の下端フランジ部１１ｂのリング部１１ｇで下方に浮かされたノズル本体１２の下端フランジ部１２ｂの外周部に浴室１内から邪魔板部材１４のフック爪１４ｃを係止することで、ノズル本体１２の吹き出し側に邪魔板部材１４を係止固定することができる。
【００３３】
このように、空気供給ノズル１０（Ａ）のノズル本体１２の吹き出し側に邪魔板部材１４を配置すれば、酸素富化装置５の吐出口５ａ付近で結露した高酸素濃度の空気の結露水がノズル本体１２の内周部である空気吹き出し口１２ｄ〔図２（ｂ）参照〕から浴室１内に滴下しようとしても、邪魔板部材１４で受け止められるので、浴室１内に直ちに滴下しなくなる。
【００３４】
特に、空気吹き出し口１２ｄから邪魔板部材１４の半球凸状部１４ａに滴下した結露水は、空気吹き出し口１２ｄからの高酸素濃度の空気の圧力で、半球凸状部１４ａの表面に広がりながら大部分が蒸発されてしまうので、空気出口穴１４ｂから浴室１内に滴下することが殆ど無くなる。
【００３５】
また、邪魔板部材１４の無い場合は、ノズル本体１２の空気吹き出し口１２ｄから供給された高酸素濃度の空気の全部が入浴者に直接当たって冷たいという不快感があるが、邪魔板部材１４が有る場合は、高酸素濃度の空気が複数の空気出口穴１４ｂから分散されて供給されるから、このような不快感を無くすことができる。
【００３６】
前記邪魔板部材１４は、図５（ａ）（ｂ）の例では、第１実施形態の空気供給ノズル１０（Ａ）に配置したものであったが、第２実施形態の空気供給ノズル１０（Ｂ）でも、天井パネル４の取付け穴４ａの内面からノズル本体１２の下端フランジ部１２ｂを下方に浮かすようにワッシャー等を入れれば、邪魔板部材１４を配置することが可能である。
【００３７】
前記酸素富化装置５の高酸素濃度の空気の吐出口５ａの接続管６は、前記空気供給ノズル１０（Ａ，Ｂ）に接続しているが、残り２本の接続管７，８は、図１のように、浴室１の外方を側壁パネルに沿わせて垂れ下がらせて、浴槽２側に設置した微細気泡発生装置Ａとジェットバス装置Ｂとにそれぞれ接続している。
【００３８】
図６（ａ）に示すように、微細気泡発生装置Ａは、浴槽２の浴槽壁２ａに吸込口１７と吐出口１８とが形成されて、吸込口１７は、接続管１９を介して空気吸引部（エゼクタ−）２０の入口に接続され、この空気吸引部２０の出口は、接続管２１を介してポンプ２２に接続されている。前記空気吸引部２０の側部には、前記酸素富化装置５の接続管７が接続されている。
【００３９】
前記ポンプ２２は、接続管２３を介して気液溶解タンク２４の上部に設けられた噴霧ノズル２５に接続されていて、この気液溶解タンク２４には、空気抜き弁２６が設けられている。
【００４０】
前記気液溶解タンク２４の下部は、接続管２７を介して前記吐出口１８に接続され、この吐出口１８には、減圧弁である微細気泡発生ノズル２８が設置されている。
【００４１】
そして、スイッチ操作でポンプ２２を駆動すれば、吸込口１７から接続管１９，２１を介して浴槽２内の浴水がポンプ２２に吸水されるとともに、その途中で、空気吸引部（エゼクタ−）２０の負圧作用により、接続管７を介して酸素富化装置５から取入れられた高酸素濃度の空気が浴水に混入されるようになる。
【００４２】
この空気が混入された浴水は、ポンプ２２から接続管２３を介して噴霧ノズル２５から気液溶解タンク２４内に噴出されることでバブリング状態となる。この気液溶解タンク２４内の余剰空気は、空気抜き弁２６からタンク外部に排出される。
【００４３】
この気液溶解タンク２４内の浴水は、接続管２７を介して微細気泡発生ノズル２８で白濁の濃い微細気泡を含む浴水に変換されながら、吐出口１８から浴槽２内に吐出されるようになる。
【００４４】
このような浴水の循環を繰り返すことで浴槽２内は、微細気泡の浴水で満たされるようになる。
【００４５】
図６（ｂ）に示すように、ジェットバス装置Ｂは、浴槽２の浴槽壁２ａに吸込口３３と吐出口３４とが形成され、この吸込口３３と吐出口３４とは、ジェットポンプ３６を有する接続管３５で接続されている。前記吐出口３４に設置されたジェットノズル３２には、前記酸素富化装置５の接続管８が接続されている。
【００４６】
そして、スイッチ操作でジェットポンプ３６を駆動すれば、吸込口３３から接続管３５を介して浴槽２内の浴水がジェットポンプ３６で吸水されながら、吐出口３４から浴槽２内に噴射吐出されるようになる。このとき、吐出口３４のジェットノズル３２の負圧作用により、接続管８を介して酸素富化装置５から取入れられた高酸素濃度の空気が浴水に混入されるので、吐出口３４からは比較的大きな気泡を含んだ浴水が強く噴射されるようになる。
【００４７】
前記微細気泡発生装置Ａとジェットバス装置Ｂとは、浴槽２にそれぞれ設置して、選択的に使用することができるが、いずれか一方のみであっても良い。
【００４８】
そして、酸素富化装置５で発生した高酸素濃度の空気を天井側の空気供給ノズル１０（Ａ，Ｂ）から浴室１内に供給すると、この空気は冷たい（重い）ので、浴室１内の下方に下がろうとする一方、酸素富化装置５で発生した高酸素濃度の空気を微細気泡発生ノズル２８またはジェットノズル３２で浴槽２内に供給すると、この空気は浴槽２内の浴水で暖められて暖かい（軽い）ので、浴室１内の上方に上がろうとする。この結果、浴室１内で高酸素濃度の空気が対流しながら循環するので、より浴室１内全体に行き渡りやすくなる。
【図面の簡単な説明】
【００４９】
【図１】本発明の実施形態に係る空気供給ノズルを取付けた浴室の斜視図である。
【図２】第１実施形態の空気供給ノズルの取付け構造であり、（ａ）は斜視図、（ｂ）は取付け部材にノズル本体を差し込む前の側面図である。
【図３】第１実施形態の空気供給ノズルの取付け構造であり、（ａ）は（ｂ）のＡ−Ａ線断面図、（ｂ）は取付け部材にノズル本体を係止固定した側面図、（ｃ）は（ｂ）の断面図である。
【図４】第２実施形態の空気供給ノズルの取付け構造であり、（ａ）はノズル本体を板ばね部材で挟み込み固定した側面図、（ｂ）は（ａ）の斜視図である。
【図５】邪魔板部材であり、（ａ）は側面断面図、（ｂ）は下面図である。
【図６】（ａ）は浴槽の微細気泡発生装置のシステム図、（ｂ）は浴槽のジェットバス装置のシステム図である。
【符号の説明】
【００５０】
１      浴室
２      浴槽
４      天井パネル
４ａ    取付け穴
５      酸素富化装置
１０（Ａ，Ｂ）  空気供給ノズル
１１    取付け部材
１２    ノズル本体
１２ｂ  下端フランジ部
１２ｇ  係止下面
１３    板ばね部材
２８    微細気泡発生ノズル
３２    ジェットノズル
Ａ      微細気泡発生装置
Ｂ      ジェットバス装置
【図１】
2006167371.tif 000003
【図２】
2006167371.tif 000004
【図３】
2006167371.tif 000005
【図４】
2006167371.tif 000006
【図５】
2006167371.tif 000007
【図６】
2006167371.tif 000008